【手続補正書】
【提出日】平成19年1月19日(2007.1.19)
【手続補正１】
【補正対象書類名】明細書
【補正対象項目名】特許請求の範囲
【補正方法】変更
【補正の内容】
【特許請求の範囲】
【請求項１】  画像データを送信する情報処理装置と、該情報処理装置から前記画像データを受信し画像データ展開を行うと共に印刷指令を送信する画像形成制御装置と、該画像形成制御装置から前記印刷指令を受信し印刷を行う画像形成装置とを具備してなる画像形成システムであって、
印刷ドキュメントを包み込み可能な大きさの表表紙、裏表紙、背表紙に関する背表紙付き表紙データを生成し、前記背表紙付き表紙データに基づき印刷を行わせる表紙印刷制御機能を有することを特徴とする画像形成システム。
【請求項２】  前記背表紙に用いる用紙の種類、前記印刷ドキュメントのページ数に基づき前記背表紙の幅を計算する背表紙幅計算手段を有し、前記表表紙と前記裏表紙は前記印刷ドキュメントと同サイズとし、前記裏表紙、前記背表紙、前記表表紙の順に枠線を付けて並べた画像を前記背表紙付き表紙データとして生成し印刷を行わせることを特徴とする請求項１記載の画像形成システム。
【請求項３】  前記背表紙幅計算手段は、前記背表紙に用いる用紙の種類毎の重さ標準値、前記用紙の種類毎の厚み係数、前記用紙に定着させるトナーの量を示すトナー乗量、前記印刷ドキュメントのページ数に基づき前記背表紙の幅を計算することを特徴とする請求項２記載の画像形成システム。
【請求項４】  前記背表紙付き表紙データを印刷する最小の定型用紙の給紙方法を選択する表紙給紙方法選択手段を有し、該表紙給紙方法選択手段は、前記定型用紙が前記画像形成装置に装備された用紙収納手段に収納されている場合は該用紙収納手段からの給紙を選択し、前記定型用紙が前記用紙収納手段に収納されていない場合は前記画像形成装置に装備された手差し給紙手段からの給紙を選択することを特徴とする請求項１乃至３の何れかに記載の画像形成システム。
【請求項５】  前記情報処理装置は、前記表紙データに係る文字列を前記画像形成制御装置へ送信する第一通信手段を有し、前記画像形成制御装置は、前記情報処理装置から前記文字列を受信すると共に前記画像形成装置へ前記印刷指令を送信する第二通信手段を有し、前記画像形成装置は、前記画像形成制御装置から前記印刷指令を受信する第三通信手段を有することを特徴とする請求項１乃至４の何れかに記載の画像形成システム。
【請求項６】  前記表紙データに係る文字列の文字数に基づき、予め定められた表紙文字印刷領域に収まるフォントサイズを計算するフォントサイズ計算手段を有することを特徴とする請求項５記載の画像形成システム。
【請求項７】  前記画像形成装置は、印刷が完了した用紙のページ順を揃えたり複数部に仕分けるソート機能、印刷が完了した用紙を綴じるステープル機能を持つ後処理手段を有し、該後処理手段は、前記表表紙、裏表紙、背表紙を付加する印刷の際、ドキュメント本体に対しソート及びステープルを行うことを特徴とする請求項１乃至６の何れかに記載の画像形成システム。
【請求項８】  前記画像形成装置は、用紙の両面に印刷する両面印刷機能を持つ画像形成手段を有し、該画像形成手段は、前記表表紙、裏表紙、背表紙を付加する印刷の際、ドキュメント本体に対し両面印刷を行うことを特徴とする請求項１乃至７の何れかに記載の画像形成システム。
【請求項９】  前記画像形成装置の前記画像形成手段は、前記表表紙、裏表紙、背表紙を付加する印刷の際、ドキュメント本体は１部ずつ順に指定部数印刷する丁合い印刷を行うことを特徴とする請求項８記載の画像形成システム。
【請求項１０】  前記表紙印刷制御機能は、前記画像形成制御装置が有することを特徴とする請求項１乃至９の何れかに記載の画像形成システム。
【請求項１１】  前記表紙印刷制御機能は、前記情報処理装置が有することを特徴とする請求項１乃至１０の何れかに記載の画像形成システム。
【請求項１２】  画像データを送信する情報処理装置及び印刷指令に基づき印刷を行う画像形成装置と通信可能に接続され、前記情報処理装置から前記画像データを受信し画像データ展開を行うと共に前記画像形成装置へ前記印刷指令を送信する画像形成制御装置であって、
印刷ドキュメントを包み込み可能な大きさの表表紙、裏表紙、背表紙に関する背表紙付き表紙データを生成し、前記背表紙付き表紙データに基づき印刷を行わせる表紙印刷制御機能を有することを特徴とする画像形成制御装置。
【請求項１３】  前記背表紙に用いる用紙の種類、前記印刷ドキュメントのページ数に基づき前記背表紙の幅を計算する背表紙幅計算手段を有し、前記表表紙と前記裏表紙は前記印刷ドキュメントと同サイズとし、前記裏表紙、前記背表紙、前記表表紙の順に枠線を付けて並べた画像を前記背表紙付き表紙データとして生成し印刷を行わせることを特徴とする請求項１２記載の画像形成制御装置。
【請求項１４】  前記背表紙幅計算手段は、前記背表紙に用いる用紙の種類毎の重さ標準値、前記用紙の種類毎の厚み係数、前記用紙に定着させるトナーの量を示すトナー乗量、前記印刷ドキュメントのページ数に基づき前記背表紙の幅を計算することを特徴とする請求項１３記載の画像形成制御装置。
【請求項１５】  前記背表紙付き表紙データを印刷する最小の定型用紙の給紙方法を選択する表紙給紙方法選択手段を有し、該表紙給紙方法選択手段は、前記定型用紙が前記画像形成装置に装備された用紙収納手段に収納されている場合は該用紙収納手段からの給紙を選択し、前記定型用紙が前記用紙収納手段に収納されていない場合は前記画像形成装置に装備された手差し給紙手段からの給紙を選択することを特徴とする請求項１２乃至１４の何れかに記載の画像形成制御装置。
【請求項１６】  前記情報処理装置から前記表紙データに係る文字列を受信すると共に前記画像形成装置へ前記印刷指令を送信する通信手段を有することを特徴とする請求項１２乃至１５の何れかに記載の画像形成制御装置。
【請求項１７】  前記表紙データに係る文字列の文字数に基づき、予め定められた表紙文字印刷領域に収まるフォントサイズを計算するフォントサイズ計算手段を有することを特徴とする請求項１６記載の画像形成制御装置。
【請求項１８】  印刷が完了した用紙のページ順を揃えたり複数部に仕分けるソート機能、印刷が完了した用紙を綴じるステープル機能を持つ前記画像形成装置の後処理手段により、前記表表紙、裏表紙、背表紙を付加する印刷の際、ドキュメント本体に対しソート及びステープルを行わせることを特徴とする請求項１２乃至１７の何れかに記載の画像形成制御装置。
【請求項１９】  用紙の両面に印刷する両面印刷機能を持つ前記画像形成装置の画像形成手段により、前記表表紙、裏表紙、背表紙を付加する印刷の際、ドキュメント本体に対し両面印刷を行わせることを特徴とする請求項１２乃至１８の何れかに記載の画像形成制御装置。
【請求項２０】  前記画像形成装置の前記画像形成手段により、前記表表紙、裏表紙、背表紙を付加する印刷の際、ドキュメント本体は１部ずつ順に指定部数印刷する丁合い印刷を行わせることを特徴とする請求項１９記載の画像形成制御装置。
【請求項２１】  画像データを受信し画像データ展開を行うと共に画像形成装置へ印刷指令を送信する画像形成制御装置と通信可能に接続され、前記画像形成制御装置へ前記画像データを送信する情報処理装置であって、
印刷ドキュメントを包み込み可能な大きさの表表紙、裏表紙、背表紙に関する背表紙付き表紙データを生成し、前記背表紙付き表紙データに基づき印刷を行わせる表紙印刷制御機能を有することを特徴とする情報処理装置。
【請求項２２】  前記背表紙に用いる用紙の種類、前記印刷ドキュメントのページ数に基づき前記背表紙の幅を計算する背表紙幅計算手段を有し、前記表表紙と前記裏表紙は前記印刷ドキュメントと同サイズとし、前記裏表紙、前記背表紙、前記表表紙の順に枠線を付けて並べた画像を前記背表紙付き表紙データとして生成し印刷を行わせることを特徴とする請求項２１記載の情報処理装置。
【請求項２３】  前記背表紙幅計算手段は、前記背表紙に用いる用紙の種類毎の重さ標準値、前記用紙の種類毎の厚み係数、前記用紙に定着させるトナーの量を示すトナー乗量、前記印刷ドキュメントのページ数に基づき前記背表紙の幅を計算することを特徴とする請求項２２記載の情報処理装置。
【請求項２４】  前記背表紙付き表紙データを印刷する最小の定型用紙の給紙方法を選択する表紙給紙方法選択手段を有し、該表紙給紙方法選択手段は、前記定型用紙が前記画像形成装置に装備された用紙収納手段に収納されている場合は該用紙収納手段からの給紙を選択し、前記定型用紙が前記用紙収納手段に収納されていない場合は前記画像形成装置に装備された手差し給紙手段からの給紙を選択することを特徴とする請求項２１乃至２３の何れかに記載の情報処理装置。
【請求項２５】  前記画像形成制御装置へ予め定められた表紙文字印刷領域に収まるフォントサイズに関するデータを送信する通信手段を有することを特徴とする請求項２１乃至２４の何れかに記載の情報処理装置。
【請求項２６】  前記表紙データに係る文字列の文字数に基づき、前記フォントサイズを計算するフォントサイズ計算手段を有することを特徴とする請求項２５記載の情報処理装置。
【請求項２７】  印刷が完了した用紙のページ順を揃えたり複数部に仕分けるソート機能、印刷が完了した用紙を綴じるステープル機能を持つ前記画像形成装置の後処理手段により、前記表表紙、裏表紙、背表紙を付加する印刷の際、ドキュメント本体に対しソート及びステープルを行わせることを特徴とする請求項２１乃至２６の何れかに記載の情報処理装置。
【請求項２８】  用紙の両面に印刷する両面印刷機能を持つ前記画像形成装置の画像形成手段により、前記表表紙、裏表紙、背表紙を付加する印刷の際、ドキュメント本体に対し両面印刷を行わせることを特徴とする請求項２１乃至２７の何れかに記載の情報処理装置。
【請求項２９】  前記画像形成装置の前記画像形成手段により、前記表表紙、裏表紙、背表紙を付加する印刷の際、ドキュメント本体は１部ずつ順に指定部数印刷する丁合い印刷を行わせることを特徴とする請求項２８記載の情報処理装置。
【請求項３０】  画像形成装置であって、
画像形成制御装置又は情報処理装置において生成された、印刷ドキュメントを包み込み可能な大きさの表表紙、裏表紙、背表紙に関する背表紙付き表紙データと、該印刷ドキュメントに対応する画像データを受信する受信手段と、
前記受信手段で受信した背表紙付き表紙データと画像データに従い印刷を行う印刷手段と、を有することを特徴とする画像形成装置。
【請求項３１】  画像データを送信する情報処理装置と、該情報処理装置から前記画像データを受信し画像データ展開を行うと共に印刷指令を送信する画像形成制御装置と、該画像形成制御装置から前記印刷指令を受信し印刷を行う画像形成装置とを具備してなる画像形成システムに適用される表紙印刷制御方法であって、
印刷ドキュメントを包み込み可能な大きさの表表紙、裏表紙、背表紙に関する背表紙付き表紙データを生成し、前記背表紙付き表紙データに基づき印刷を行わせる表紙印刷制御工程を有することを特徴とする表紙印刷制御方法。
【請求項３２】  画像データを送信する情報処理装置と、該情報処理装置から前記画像データを受信し画像データ展開を行うと共に印刷指令を送信する画像形成制御装置と、該画像形成制御装置から前記印刷指令を受信し印刷を行う画像形成装置とを具備してなる画像形成システムに適用される表紙印刷制御方法を実行するプログラムを記憶したコンピュータにより読み出し可能な記憶媒体であって、
前記表紙印刷制御方法は、印刷ドキュメントを包み込み可能な大きさの表表紙、裏表紙、背表紙に関する背表紙付き表紙データを生成し、前記背表紙付き表紙データに基づき印刷を行うように制御する表紙印刷制御ステップを有することを特徴とする記憶媒体。
【手続補正２】
【補正対象書類名】明細書
【補正対象項目名】００３６
【補正方法】変更
【補正の内容】
【００３６】
上記目的を達成するため、請求項３０の発明は、画像形成装置であって、画像形成制御装置又は情報処理装置において生成された、印刷ドキュメントを包み込み可能な大きさの表表紙、裏表紙、背表紙に関する背表紙付き表紙データと、該印刷ドキュメントに対応する画像データを受信する受信手段と、前記受信手段で受信した背表紙付き表紙データと画像データに従い印刷を行う印刷手段と、を有することを特徴とする。
【手続補正３】
【補正対象書類名】明細書
【補正対象項目名】００３７
【補正方法】削除
【補正の内容】
【手続補正４】
【補正対象書類名】明細書
【補正対象項目名】００３８
【補正方法】削除
【補正の内容】
【手続補正５】
【補正対象書類名】明細書
【補正対象項目名】００３９
【補正方法】削除
【補正の内容】
【手続補正６】
【補正対象書類名】明細書
【補正対象項目名】００４０
【補正方法】削除
【補正の内容】
【手続補正７】
【補正対象書類名】明細書
【補正対象項目名】００４１
【補正方法】削除
【補正の内容】
【手続補正８】
【補正対象書類名】明細書
【補正対象項目名】００４２
【補正方法】削除
【補正の内容】
【手続補正９】
【補正対象書類名】明細書
【補正対象項目名】００４３
【補正方法】削除
【補正の内容】
【手続補正１０】
【補正対象書類名】明細書
【補正対象項目名】００４４
【補正方法】削除
【補正の内容】
【手続補正１１】
【補正対象書類名】明細書
【補正対象項目名】００４５
【補正方法】削除
【補正の内容】
【手続補正１２】
【補正対象書類名】明細書
【補正対象項目名】００４６
【補正方法】削除
【補正の内容】
【手続補正１３】
【補正対象書類名】明細書
【補正対象項目名】００４７
【補正方法】変更
【補正の内容】
【００４７】
上記目的を達成するため、請求項３１の発明は、画像データを送信する情報処理装置と、該情報処理装置から前記画像データを受信し画像データ展開を行うと共に印刷指令を送信する画像形成制御装置と、該画像形成制御装置から前記印刷指令を受信し印刷を行う画像形成装置とを具備してなる画像形成システムに適用される表紙印刷制御方法であって、印刷ドキュメントを包み込み可能な大きさの表表紙、裏表紙、背表紙に関する背表紙付き表紙データを生成し、前記背表紙付き表紙データに基づき印刷を行わせる表紙印刷制御工程を有することを特徴とする。
【手続補正１４】
【補正対象書類名】明細書
【補正対象項目名】００４８
【補正方法】削除
【補正の内容】
【手続補正１５】
【補正対象書類名】明細書
【補正対象項目名】００４９
【補正方法】削除
【補正の内容】
【手続補正１６】
【補正対象書類名】明細書
【補正対象項目名】００５０
【補正方法】削除
【補正の内容】
【手続補正１７】
【補正対象書類名】明細書
【補正対象項目名】００５１
【補正方法】削除
【補正の内容】
【手続補正１８】
【補正対象書類名】明細書
【補正対象項目名】００５２
【補正方法】削除
【補正の内容】
【手続補正１９】
【補正対象書類名】明細書
【補正対象項目名】００５３
【補正方法】削除
【補正の内容】
【手続補正２０】
【補正対象書類名】明細書
【補正対象項目名】００５４
【補正方法】削除
【補正の内容】
【手続補正２１】
【補正対象書類名】明細書
【補正対象項目名】００５５
【補正方法】削除
【補正の内容】
【手続補正２２】
【補正対象書類名】明細書
【補正対象項目名】００５６
【補正方法】削除
【補正の内容】
【手続補正２３】
【補正対象書類名】明細書
【補正対象項目名】００５７
【補正方法】削除
【補正の内容】
【手続補正２４】
【補正対象書類名】明細書
【補正対象項目名】００５８
【補正方法】変更
【補正の内容】
【００５８】
上記目的を達成するため、請求項３２の発明は、画像データを送信する情報処理装置と、該情報処理装置から前記画像データを受信し画像データ展開を行うと共に印刷指令を送信する画像形成制御装置と、該画像形成制御装置から前記印刷指令を受信し印刷を行う画像形成装置とを具備してなる画像形成システムに適用される表紙印刷制御方法を実行するプログラムを記憶したコンピュータにより読み出し可能な記憶媒体であって、前記表紙印刷制御方法は、印刷ドキュメントを包み込み可能な大きさの表表紙、裏表紙、背表紙に関する背表紙付き表紙データを生成し、前記背表紙付き表紙データに基づき印刷を行うように制御する表紙印刷制御ステップを有することを特徴とする。
【手続補正２５】
【補正対象書類名】明細書
【補正対象項目名】００５９
【補正方法】削除
【補正の内容】
【手続補正２６】
【補正対象書類名】明細書
【補正対象項目名】００６０
【補正方法】削除
【補正の内容】
【手続補正２７】
【補正対象書類名】明細書
【補正対象項目名】００６１
【補正方法】削除
【補正の内容】
【手続補正２８】
【補正対象書類名】明細書
【補正対象項目名】００６２
【補正方法】削除
【補正の内容】
【手続補正２９】
【補正対象書類名】明細書
【補正対象項目名】００６３
【補正方法】削除
【補正の内容】
【手続補正３０】
【補正対象書類名】明細書
【補正対象項目名】００６４
【補正方法】削除
【補正の内容】
【手続補正３１】
【補正対象書類名】明細書
【補正対象項目名】００６５
【補正方法】削除
【補正の内容】
【手続補正３２】
【補正対象書類名】明細書
【補正対象項目名】００６６
【補正方法】削除
【補正の内容】
【手続補正３３】
【補正対象書類名】明細書
【補正対象項目名】００６７
【補正方法】削除
【補正の内容】
【手続補正３４】
【補正対象書類名】明細書
【補正対象項目名】００６８
【補正方法】削除
【補正の内容】
【手続補正３５】
【補正対象書類名】明細書
【補正対象項目名】０１４２
【補正方法】変更
【補正の内容】
【０１４２】
また、請求項３０記載の画像形成装置によれば、画像形成装置を画像形成制御装置もしくは情報処理装置が備える表紙印刷制御機能により制御することで、上記と同様に、ドキュメントプリント時に、併せて表表紙から背表紙、裏表紙まで含んだ表紙を自動的に生成することができるという優れた効果を奏する。
【手続補正３６】
【補正対象書類名】明細書
【補正対象項目名】０１４３
【補正方法】変更
【補正の内容】
【０１４３】
また、請求項３１記載の表紙印刷制御方法によれば、表紙印刷制御方法を画像形成システムで実行することで、上記と同様に、ドキュメントプリント時に、併せて表表紙から背表紙、裏表紙まで含んだ表紙を自動的に生成することができるという優れた効果を奏する。
【手続補正３７】
【補正対象書類名】明細書
【補正対象項目名】０１４４
【補正方法】変更
【補正の内容】
【０１４４】
また、請求項３２記載の記憶媒体によれば、記憶媒体から表紙印刷制御方法を読み出して画像形成システムで実行することで、上記と同様に、ドキュメントプリント時に、併せて表表紙から背表紙、裏表紙まで含んだ表紙を自動的に生成することができるという優れた効果を奏する。